(57)【特許請求の範囲】
【請求項１】
窓の外方にレールに沿って走行自在に設けた雨戸において、
前記雨戸は、前記レールを走行する枠体ユニットと、この枠体ユニットに対して縦方向の開放回転軸を両側部に有してそれぞれの前記開放回転軸に対する他方側が室外側に開放および室内側に閉止する回転障子ユニットとを備え、
前記枠体ユニットに一端部が軸支され、他端部が前記回転障子ユニットに沿ってガイドされ、所定位置において回転障子ユニットに対して位置決めされるアームによって、前記枠体ユニットと回転障子ユニットとが連結され、
前記開放回転軸は前記枠体ユニットに対して係脱自在となり、一側部の開放回転軸を前記枠体ユニットから外した状態で、他側部の回転軸を中心として前記回転障子ユニットが開放される関係にあり、
前記開放回転軸の前記枠体ユニットに対する係脱操作に連動する戻りストッパーが設けられ、この戻りストッパーは、その係止部が、前記アームの他端部のガイド路に対して進出、退避する関係にある、
ことを特徴とする窓の日射遮蔽を兼ねる雨戸。
【請求項２】
窓の外方にレールに沿って走行自在に設けた雨戸において、
前記雨戸は、前記レールを走行する枠体ユニットと、この枠体ユニットに対して縦方向の開放回転軸を側部に有して他方側が室外側に開放および室内側に閉止する回転障子ユニットとを備え、
前記枠体ユニットに一端部が軸支され、他端部が前記回転障子ユニットに沿ってガイドされ、所定位置において回転障子ユニットに対して位置決めされるアームによって、前記枠体ユニットと回転障子ユニットとが連結され、
前記枠体ユニットに上下方向に移動するロック体を有するロック装置が設けられ、前記ロック体を上下操作により、その下部は前記レールに係脱し、その上部は枠体ユニットの壁に形成された透孔および前記アームに形成されたロック孔に係脱し、かつ、前記回転障子ユニットの開放状態において前記アームの下面が前記透孔を塞ぐ位置にある、
ことを特徴とする窓の日射遮蔽を兼ねる雨戸。
【発明の詳細な説明】
【０００１】
【発明の属する技術分野】
本発明は、窓の日射遮蔽を兼ねる雨戸に関する。
【０００２】
【従来の技術】
近年の住宅においては、室内環境の快適化、冷暖房負荷の低減による省エネルギー化を図るために高断熱・高気密化が進んでいる。一方、地価の高騰に伴って、最大限に土地を有効に利用しながら、採光を図る設計が多く採用される傾向にある。
【０００３】
その結果、東西の壁面にも窓を設ける設計が多くある。しかし、特に東西面においては夏期における日射が部屋内に深く入り込むので、開口部の断熱化に反する結果となり、冷房効率を低下させ省エネルギー化の妨げになっている。
【０００４】
したがって、日射熱の侵入を可能な限り防ぐために日射遮蔽を図ることが重要となる。従来、ブラインドやカーテンを窓の内側に設けたり、また、サッシ内にブラインドを内蔵しているが、日射の室内への侵入は防げるものの、窓面および窓に面する室内部分の温度上昇は避けられない。
【０００５】
したがって、日射熱の影響を効率よく防ぐためには窓の外側で遮蔽する手段が最適であり、窓の外側を遮蔽する雨戸を日射遮蔽に利用し得る構造に改良して、日射遮蔽を兼ねる雨戸とすることが合理的である。これに近い例としては、特開昭５２−７０５５４号および特開昭５４−９３８２９号公報に開示されたものがある。
【０００６】
【発明が解決しようとする課題】
しかし、特開昭５２−７０５５４号の装置は大型のルーバー装置であり建具の域をはるかに逸脱するものである。したがって、従来の建具雨戸を改良して構成することにより、従来の雨戸の形態、機能、意匠を維持しつつ、日射遮蔽の機能を兼ね備える合理性を有するものではない。
【０００７】
また、特開昭５４−９３８２９号の雨戸は上下部にルーバーを設けて通風機能を持たせたものにすぎず、日射遮蔽体として実用化するためには、日射を遮蔽でき、かつ閉鎖感を感じない程度の開口を設ける必要があり、そのためには遮蔽体を屋外側に持ち出すか、あるいは回動させる構造にしなければならない。
【０００８】
本発明の課題は、従来の雨戸を改良して形態、機能、意匠を維持しつつ、日射遮蔽の機能を兼ね備えた雨戸を提供することにある。さらに、日射遮蔽体として実用化できる構造とするために、遮蔽部を安定的に回動開閉し得る構造、およびそれに関連する使用形態の構造の雨戸を提供することにある。
【０００９】
【課題を解決するための手段】
上記課題を解決した本発明の請求項１記載の発明は、窓の外方にレールに沿って走行自在に設けた雨戸において、
前記雨戸は、前記レールを走行する枠体ユニットと、この枠体ユニットに対して縦方向の開放回転軸を両側部に有してそれぞれの前記開放回転軸に対する他方側が室外側に開放および室内側に閉止する回転障子ユニットとを備え、
前記枠体ユニットに一端部が軸支され、他端部が前記回転障子ユニットに沿ってガイドされ、所定位置において回転障子ユニットに対して位置決めされるアームによって、前記枠体ユニットと回転障子ユニットとが連結され、
前記開放回転軸は前記枠体ユニットに対して係脱自在となり、一側部の開放回転軸を前記枠体ユニットから外した状態で、他側部の回転軸を中心として前記回転障子ユニットが開放される関係にあり、
前記開放回転軸の前記枠体ユニットに対する係脱操作に連動する戻りストッパーが設けられ、この戻りストッパーは、その係止部が、前記アームの他端部のガイド路に対して進出、退避する関係にある、ことを特徴とする窓の日射遮蔽を兼ねる雨戸である。
【００１０】
請求項２記載の発明は、窓の外方にレールに沿って走行自在に設けた雨戸において、
前記雨戸は、前記レールを走行する枠体ユニットと、この枠体ユニットに対して縦方向の開放回転軸を側部に有して他方側が室外側に開放および室内側に閉止する回転障子ユニットとを備え、
前記枠体ユニットに一端部が軸支され、他端部が前記回転障子ユニットに沿ってガイドされ、所定位置において回転障子ユニットに対して位置決めされるアームによって、前記枠体ユニットと回転障子ユニットとが連結され、
前記枠体ユニットに上下方向に移動するロック体を有するロック装置が設けられ、前記ロック体を上下操作により、その下部は前記レールに係脱し、その上部は枠体ユニットの壁に形成された透孔および前記アームに形成されたロック孔に係脱し、かつ、前記回転障子ユニットの開放状態において前記アームの下面が前記透孔を塞ぐ位置にある、ことを特徴とする窓の日射遮蔽を兼ねる雨戸である。
【００１１】
【発明の実施の形態】
以下本発明を図面に示す実施の形態を参照しながらさらに詳説する。
図１は雨戸の室外側からの視図、図２は室内側からの視図であり、実施例においては、戸袋１から２枚の雨戸１０，１０を引き出して窓を覆う通常の建具雨戸の形態になっている。
【００１２】
他の図面をも参照すると、符号８０は雨戸枠であり、下部に雨戸１０の走行レール８１を有する。前記各雨戸１０，１０はこの下部走行レール８１と上部レール８２とにガイドされて戸車８３（図６および図７参照）に乗って走行する。
【００１３】
各雨戸１０は、上下左右（室内側から視で）の雨戸框１２，１４，１６，１８内に中縦桟２０が設けられ、これが枠体ユニットＵ１を構成している。中縦桟２０を境として、それぞれ回転障子ユニットＵ２，Ｕ２が配設されている。したがって、一つの回転障子ユニットＵ２については、対応する枠体部分が枠体ユニットを構成する。
【００１４】
回転障子ユニットＵ２は、上下左右の障子框２２，２４，２６，２８を有し、これらに囲まれた障子板体３０を有する。左障子框２６の上下には、それぞれ縦方向に沿う開放回転軸３２Ａ，３２Ｂが設けられ、未開放時においては雨戸上框１２および雨戸下框１４の係合孔１２ａおよび１４ａにそれぞれ係合している（図６および図８参照）。右障子框２８にも同様に開放回転軸３２Ａ，３２Ｂが設けられているが図示を省略してある。
【００１５】
図６および図８に示されるように、開放回転軸３２Ａ，３２Ｂの基端側は、左障子框２６に設けたガイドケース３４内に延長され、さらにＬ字状に折曲された端部はガイドケース３４の長孔から障子板体３０側に臨んでおり、その先端部に操作つまみ３６Ａ，３６Ｂが一体化されている。ガイドケース３４には反発スプリング３８が内装され、開放回転軸３２Ａ，３２Ｂの折曲部を介してそれぞれ上下方向に付勢し、開放回転軸３２Ａ，３２Ｂの上下端部を雨戸上框１２および雨戸下框１４の係合孔１２ａおよび１４ａへの係合を保持している。
【００１６】
かかる開放回転軸３２Ａ，３２Ｂは、図３に示すように、回転障子ユニットＵ２の開閉の回転軸または回転軸心を構成する。図３に示されているように、回転障子ユニットＵ２は右側を開けたり（仮想線で示す）、左側を開けたり（破線で示す）選択自由とされている。
【００１７】
この回転障子ユニットＵ２の開放時において枠体ユニットＵ１に保持させるために、上部に２つのアーム４０Ｌ，４０Ｒが、下部に２つのアーム４２Ｌ，４２Ｒがそれぞれ配置されて連結されている。この詳細は、上部については図８および図９に、下部については図１０に示されている。
【００１８】
図８および図９によって上部のアーム４０Ｌ，４０Ｒについて説明すると、揺動回転軸４４が雨戸上框１２に固定されており、この揺動回転軸４４を共通の回転軸として、アーム４０Ｌ，４０Ｒの一端部がそれぞれ軸支されている。アーム４０Ｌ，４０Ｒの他端部に一体的に設けられた鍔状のスライダー部４６は、障子上框２２のリップ溝２２ａに係合している（図６および図７も参照。ただし、この係合態様はアーム４０Ｌについて図示され、アーム４０Ｒについては図示されていない）。
【００１９】
一方、前記の開放回転軸３２Ａ，３２Ｂには、特に図８に明示されているように、先端部にＬ字状の戻りストッパー４８が嵌合され、その上下面がナットで固定されており、戻りストッパー４８先端の鉤片（係止部を構成する）４８ａは、回転障子ユニットＵ２の閉止時において、スライダー部４６より中央側位置においてリップ溝２２ａのリップ間に臨んでいる。
【００２０】
下部についても、図６、図７および図１０に示されているように、２つのアーム４２Ｌ，４２Ｒが設けられ、これに対して鉤片５０ａを有する戻りストッパー５０が設けられ、同様の構造が採用されている。５２はアーム４２Ｌ，４２Ｒの揺動回転軸であり、固定座５２Ａを介して雨戸下框１４にビス固定されており、アーム４２Ｌ，４２Ｒのスライダー部４６はリップ溝２４ａに係合している。  かかる構造により、図３の破線で示すように、回転障子ユニットＵ２の左側を開ける場合には、図８のように、操作つまみ３６Ａ，３６Ｂを把持して反発スプリング３８の付勢力に抗して、互いに接近させる方向に移動させると、開放回転軸３２Ａ，３２Ｂがそれぞれ下方および上方に移動せられ、それらの上下の先端部が雨戸上框１２および雨戸下框１４の係合孔１２ａおよび１４ａから外れる。この状態の下で、回転障子ユニットＵ２の左部分を室外方向に押し出せば、回転障子ユニットＵ２は右側の開放回転軸３２Ａ，３２Ｂを中心として回転する。
【００２１】
このとき、アーム４０Ｌ，４０Ｒの上部スライダー部４６，４６はリップ溝２２ａに係合し、アーム４２Ｌ，４２Ｒの下部スライダー部４６，４６はリップ溝２４ａに係合している関係で、アーム４０Ｌ，４０Ｒは揺動回転軸４４を中心として、アーム４２Ｌ，４２Ｒは揺動回転軸５２を中心として実線から破線で示すように回転する。したがって、アーム４０Ｌ，４０Ｒの他端部は、障子上框２２のリップ溝２２ａをガイド路とし、アーム４２Ｌ，４２Ｒの他端部は、障子下框２４のリップ溝２４ａをガイド路としている。
【００２２】
回転障子ユニットＵ２の開放状態において、これが風などに煽られて開放角度が大きくなったり、逆に急に閉止することは、室外の歩行者に衝突したり、居住者が挟まれるなどの危険性を生ずる。
【００２３】
そこで、図８および図９に示されているように、回転障子ユニットＵ２の開放限はリップ溝２２ａにビス固定された開放ストッパー５４によりスライダー部４６の走行を阻止することで設定されている。
【００２４】
また、急な閉止を防止するために、開放ストッパー５４にスライダー部４６が当たるまで、回転障子ユニットＵ２を開放したならば、操作つまみ３６Ａ，３６Ｂの移動を解放させると、反発スプリング３８の付勢力が働いて、戻りストッパー４８が上方に移動するから、その先端の鉤片４８ａがリップ溝２２ａのリップ間に臨む結果、スライダー部４６は鉤片４８ａに規制されて戻ることができなくなり、もって、回転障子ユニットＵ２の閉止が防止される。なお、他のアームについても同様の関係にある。
【００２５】
回転障子ユニットＵ２の閉止時においては、逆に、再び、操作つまみ３６Ａ，３６Ｂを把持して反発スプリング３８の付勢力に抗して、互いに接近させる方向に移動させた状態で、たとえば操作つまみ３６Ａ，３６Ｂを把持しながら回転障子ユニットＵ２を室内側に引き寄せる。このとき、戻りストッパー４８も下方に移動せられ、スライダー部４６のスライドを許容するので、回転障子ユニットＵ２の閉止が可能となる。完全に閉止が完了した後、操作つまみ３６Ａ，３６Ｂの把持を解放し、開放回転軸３２Ａ，３２Ｂをそれぞれ上方および下方に移動させ、それらの上下端部を雨戸上框１２および雨戸下框１４の係合孔１２ａおよび１４ａに係合させる。
【００２６】
ところで、回転障子ユニットＵ２の開放時において、回転障子ユニットＵ２を走行レール８１に沿って移動してしまうと、回転障子ユニットＵ２が戸袋に衝突する恐れがある。また、室外の歩行者に対しても危険である。
【００２７】
そこで、図１０〜図１２に示されているように、走行阻止手段６０またはロック装置が設けられている。
【００２８】
実施例においては、雨戸１０の下框１４に、アーム４２Ｌ，４２Ｒおよび走行レール８１と相関して配置されている。すなわち、揺動回転軸５２の下方において、雨戸下框１４にロックガイド６２が固定され、このロックガイド６２に上向きの２つ串フォーク状のロック体６４が上下移動自在にガイドされている。ロック体６４は操作レバー６６と一体となり、ロックガイド６２の側面に形成された両端が拡大孔となった長孔６２ａに沿って移動可能となっている。操作レバー６６はその構造を詳述はしないが、端部をスプリングに抗して押すと長孔６２ａの一端からの係合が外れ、長孔６２ａに沿って移動させた後、放すと長孔６２ａの他端に係合しその状態が維持されるようになっている。
【００２９】
ロック体６４の下部６４Ｃは、走行レール８１の係合孔８１ａに係脱自在とされている。ロック体６４の上部の串６４Ａ，６４Ｂは、回転障子ユニットＵ２の閉止時において、揺動回転軸５２の固定座５２Ａを通して、アーム４２Ｌ，４２Ｒのロック孔６８Ｌ，６８Ｒに係合している状態とされている。この係合は、雨戸１０が閉められた位置にあり、走行レール８１の係合孔８１ａとロック体６４の位置が合致した状態でロック体６４を下方に移動させることにより外れる。
【００３０】
かかる態様の下では、回転障子ユニットＵ２の閉止時に、ロック体６４は下方に移動され、その下部６４Ｃが走行レール８１の係合孔８１ａに係合した状態にあり、上部の串６４Ａ，６４Ｂは、ロック孔６８Ｌ，６８Ｒから外れた状態にある。したがって、回転障子ユニットＵ２の開閉が自由に行うことができる。
【００３１】
しかるに、回転障子ユニットＵ２の開放状態において、雨戸１０を走行レール８１に沿って戸袋１に収納しようとしても、ロック体６４の下部６４Ｃが走行レール８１の係合孔８１ａに係合した状態にあり走行が阻止されるので、この状態のままでは収納することができない。
【００３２】
したがって、雨戸１０を戸袋１に収納するにはロック体６４を上昇させてその下部６４Ｃの係合孔８１ａからの係合を解除すればよいが、このとき（図１３の上方に図示した例は回転障子ユニットＵ２の左側を開放した状態）、右側のアーム４２Ｒの下面は、串６４Ｂの上方を覆う位置関係にあるので、ロック体６４を上昇させることができない。よって、居住者に対して、ロック体６４を上昇させるためには、回転障子ユニットＵ２を完全に閉止した状態にし、ロック孔６８Ｒを串６４Ｂの軸芯に揃えた位置にする操作が必要であることを教える。
【００３３】
回転障子ユニットＵ２を完全に閉止した状態では、ロック孔６８Ｌ，６８Ｒがそれぞれ串６４Ａ，６４Ｂに対応した位置にあるので、ロック体６４を上昇させることができ、その下部６４Ｃの係合孔８１ａからの係合を解除することができる。したがって、雨戸１０を走行レール８１に沿って走行させ戸袋１に収納することができる。
【００３４】
（本発明の変形例）
本発明はその要旨の範囲内で上記の実施の形態に限定されない。すなわち、一つの枠体ユニットＵ１に対して、一つの回転障子ユニットＵ２を設けるほか、三つ以上の回転障子ユニットＵ２を設けることもできる。
【００３５】
また、請求項１記載の発明においては、走行阻止手段を有する限り、回転障子ユニットＵ２は右側または左側の一方の方向のみ開放および閉止ができるものでもよい。この態様においては、一方の開放回転軸は固定とすることができる。
【００３６】
ただし、請求項２記載の発明に従って、両側からの開放および閉止が可能となるようにすると、朝方と夕方とで、あるいは風向きによって、開放方向を選択できるので、きわめて居住性に優れたものとなる。
【００３７】
回転障子ユニットＵ２を構成する障子板体３０は、防犯上からは金属板、無機材料板などを用いるのが望ましい。障子板体３０は日射の遮蔽を目的とする場合は、外表面材の室内側に断熱材を貼付けたものや、２枚の表面材の間に断熱層を有するパネル等、外表面材が吸収した日射熱を室内側へ伝えにくいものが適当であるが、日射熱が少ない方位の窓においては、不透明のほか、日射を和らげる程度の透光性を有していてもよい。
【００３８】
【発明の効果】
以上のように、本発明によれば、従来の建具形態の雨戸によって、日射遮蔽体を兼ねることができ、また、雨戸に設けた開口部に対し、日射遮蔽体である回転障子が外側に張出した位置で日射を遮蔽するので、効率よく日射を遮蔽することができ、かつ閉鎖感を感じない程度の間接光を確保できる。
【００３９】
走行阻止手段を設けることにより、回転障子ユニットを解放した状態において、雨戸を走行させる危険性を解消できる。
【００４０】
両側からの開放および閉止が可能となるので、朝方と夕方とで、あるいは風向きによって、開放方向を選択できるので、きわめて居住性に優れたものとなる。
【００４１】
上記請求項２の効果に対して、前掲の請求項１記載の発明の効果が加わってきわめて実用的なものとなる。
【００４２】
アームを設けることで、回転障子ユニットを安定して開閉できる。
【００４３】
枠体ユニットと回転障子ユニットとをアームにより連結し、開放状態を維持できるとともに、枠体ユニットに対して係脱自在の開放回転軸に連動する戻りストッパーを設けることにより、所定角度での開放状態を維持でき、回転障子ユニットが風に煽られて急に閉止し怪我を生じる危険性から解放される。
【００４４】
枠体ユニットと回転障子ユニットとをアームにより連結し、開放状態を維持できるとともに、そのアームを利用して、ロック装置を設けたから、回転障子ユニットを枠体ユニットに対して閉止しない限り、雨戸の走行が不能となるので、不意の事故を防止できる。
【図面の簡単な説明】
【図１】戸袋および雨戸の説明図である。
【図２】雨戸の室内からの視図である。
【図３】雨戸の開閉についての説明用平面図である。
【図４】雨戸の左側要部平面図である。
【図５】右側要部の平面図である。
【図６】雨戸の図８の符号６に沿う縦断面図である。
【図７】雨戸の図８の符号７に沿う縦断面図である。
【図８】雨戸上部の縦断面図である。
【図９】雨戸上部の平面図である。
【図１０】雨戸下部のロック装置部分の縦断面図である。
【図１１】ロック体が上昇した状態の左側面図である。
【図１２】ロック体が下降した状態の左側面図である。
【図１３】下部アームの位置関係を示す平面図である。
【符号の説明】
１…戸袋、１０…雨戸、１２〜１８…雨戸框、１２ａ，１４ａ…係合孔、２０…中桟、２２〜２８…障子框、２２ａ，２４ａ…リップ溝、３０…障子板体、３２Ａ，３２Ｂ…開放回転軸、３６Ａ，３６Ｂ…操作つまみ、４０Ｌ，４０Ｒ，４２Ｌ，４２Ｒ…アーム、４４…揺動回転軸、４６…スライダー部、４８，５０…戻りストッパー、４８ａ，５０ａ…鉤片、５２…揺動回転軸、６０…走行阻止手段、６２…ロックガイド、６４…ロック体、６６…操作レバー、８０…雨戸枠、８１…走行レール。
【図１】
0003633216.tif 000002
【図２】
0003633216.tif 000003
【図３】
0003633216.tif 000004
【図４】
0003633216.tif 000005
【図５】
0003633216.tif 000006
【図６】
0003633216.tif 000007
【図７】
0003633216.tif 000008
【図８】
0003633216.tif 000009
【図９】
0003633216.tif 000010
【図１０】
0003633216.tif 000011
【図１１】
0003633216.tif 000012
【図１２】
0003633216.tif 000013
【図１３】
0003633216.tif 000014